(57)【要約】【課題】  番組の予約情報にロック設定を行なう（行なわない）放送記録装置を提供。【解決手段】  放送信号を受信し、これを復調して映像音声信号を出力するチューナ部と、番組について録画予約を設定し、あわせて、録画予約通りに録画された映像音声信号が録画後に削除されないためのロック設定を行うか否かについて設定を行う設定部を有する放送記録装置。【選択図】図１
2010288310.tif 000002
【特許請求の範囲】
【請求項１】
放送信号を受信し、これを復調して映像音声信号を出力するチューナ部と、
番組について録画予約を設定し、あわせて、前記録画予約通りに録画された前記映像音声信号が録画後に削除されないためのロック設定を行うか否かについて設定を行う設定部と、を具備することを特徴とする放送記録装置。
【請求項２】
前記設定部で予約を設定するための録画リスト中の番組毎に、前記ロック設定が行なわれることを示すアイコンを表示するべく映像信号生成を行なう生成部を更に具備することを特徴とする請求項１記載の放送記録装置。
【請求項３】
前記設定部が設定した録画予約およびロック設定について、再編集するための画面を表示する予約編集部と、
前記予約編集部が編集した前記録画予約及びロック設定に応じて、録画予約が示す時刻になったら前記放送信号の映像音声信号を、前記ロック設定と共に記憶領域に記録する予約録画部をさらに有することを特徴とする請求項１記載の放送記録装置。
【請求項４】
前記予約録画部が録画予約に応じて予約録画をする際に、前記記憶領域の容量が不足していると判断した場合、前記記憶領域に格納されている映像音声信号のうち前記ロック設定がなされていないものを削除するロック制御部を更に有することを特徴とする請求項１記載の放送記録装置。
【請求項５】
前記録画予約に応じて予約録画をする際に、前記記憶領域の容量が不足していると判断した場合、前記記憶領域に格納されている映像音声信号が複数ある場合、前記ロック設定がなされていないものであって、最古の前記映像音声信号を削除する制御部をさらに有することを特徴とする請求項１載の放送記録装置。
【請求項６】
前記設定部による録画予約と共に、前記ロック設定を行なうためのアイコンが表示される画面のための画像信号を生成する生成部をさらに有することを特徴とする請求項１記載の放送記録装置。
【請求項７】
放送信号を受信し復調して映像音声信号を出力し、
番組について録画予約を設定し、あわせて、前記録画予約通りに録画された前記映像音声信号が録画後に削除されないためのロック設定を行うか否かについて設定を行い、
前記録画予約が示す時刻になったら前記放送信号の映像音声信号を、前記ロック設定と共に記憶領域に記録することを特徴とする放送記録方法。
【請求項８】
前記録画予約と共に前記ロック設定を行なうためのアイコンが表示される画面のための画像信号を生成することを特徴とする請求項７記載の放送記録方法。
【請求項９】
前記設定した録画予約およびロック設定について、再編集するための画面を表示し、
前記録画予約及びロック設定に応じて、前記録画予約が示す時刻になったら前記放送信号の映像音声信号を、前記ロック設定と共に記憶領域に記録することを特徴とする請求項７記載の放送記録方法。
【請求項１０】
前記録画予約に応じて予約録画をする際に、前記記憶領域の容量が不足していると判断した場合、前記記憶領域に格納されている映像音声信号のうち前記ロック設定がなされていないものを削除する請求項７記載の放送記録方法。
【請求項１１】
前記録画予約に応じて予約録画をする際に、前記記憶領域の容量が不足していると判断した場合、前記記憶領域に格納されている複数の映像音声信号のうち、前記ロック設定がなされていないものであって、最古の前記映像音声信号を削除することを特徴とする請求項７記載の放送記録方法。
【請求項１２】
前記予約を設定するための録画設定中に、前記ロック設定を行なうためのアイコンを表示するべく映像信号を生成することを特徴とする請求項７記載の放送記録方法。
【発明の詳細な説明】
【技術分野】
【０００１】
本発明の実施形態は、放送番組を記録する放送記録装置に関し、特に、録画予約の段階で記録した番組の削除を回避するロック設定を行なう放送記録装置及び放送記録方法に関する。
【背景技術】
【０００２】
最近、デジタル機器の普及と共にハードディスクレコーダ等の放送受信装置が一般化しつつあり、従来のＶＴＲ（Video Tape Recorder）による記録再生処理の場合よりも、多くの映像情報を容易に記録・再生することが可能となってきている。このような放送受信装置においては、放送局又はサーバから供給される電子番組情報（Electronic Program Guide）を活用して、留守録画処理を更に容易に行うことが可能となってきている。
【先行技術文献】
【特許文献】
【０００３】
【特許文献１】特開２００３−２８９４９０号公報
【特許文献２】特開２００４−８６２８８号公報
【発明の概要】
【発明が解決しようとする課題】
【０００４】
しかし、上記した従来技術においては、録画予約の段階で記録した番組の削除を回避するロック設定を行えないという問題がある。
【０００５】
本発明は、番組の予約情報にロック設定を行なう（行なわない）放送記録装置及び放送記録方法を提供することを目的とする。
【課題を解決するための手段】
【０００６】
課題を解決するための一実施形態は、
放送信号を受信し、これを復調して映像音声信号を出力するチューナ部と、
番組について録画予約を設定し、あわせて、前記録画予約通りに録画された前記映像音声信号が録画後に削除されないためのロック設定を行うか否かについて設定を行う設定部と、を具備することを特徴とする放送記録装置である。
【図面の簡単な説明】
【０００７】
【図１】本発明の一実施形態に係る放送記録装置の構成の一例を示すブロック図。
【図２】同じく放送記録装置が表示する録画リストの一例を示す説明図。
【図３】同じく放送記録装置が表示する予約録画設定画面の一例を示す説明図。
【図４】同じく放送記録装置による予約録画時のロック設定処理の一例を示すフローチャート。
【図５】同じく放送記録装置による予約録画時のロック設定処理の一例を示すフローチャート。
【図６】同じく放送記録装置によるファイル削除処理の動作を示すフローチャート。
【発明を実施するための形態】
【０００８】
以下、この発明の実施の形態について図面を参照して詳細に説明する。  
図１は、本発明の一実施形態に係る放送記録装置の構成の一例を示すブロック図、図２は、同じく放送記録装置が表示する録画リストの一例を示す説明図、図３は、同じく放送記録装置が表示する予約録画設定画面の一例を示す説明図、図４は、同じく放送記録装置による予約録画時のロック設定処理の一例を示すフローチャート、図５は、同じく放送記録装置による予約録画時のロック設定処理の一例を示すフローチャート、図６は、同じく放送記録装置によるファイル削除処理の動作を示すフローチャートである。
【０００９】
＜本発明の一実施形態に係る放送記録装置＞
（構成）
初めに、図１の放送受信装置１０は、一例として、チューナ等をソースとして記録機能を有するデジタルテレビジョンが示されている。又、放送受信装置１０は、チューナ等と記録機能とをもったハードディスクレコーダであることも好適である。
【００１０】
従って、以下の図１を用いた実施形態の説明においては、記録機能をもったデジタルテレビジョンとして詳細に説明を行なうが、図１からディスプレイ２６を分離することで、全く同様の機能をもったハードディスクレコーダとしての説明と解釈することが可能である。
【００１１】
図１において、デジタルテレビジョンである放送受信装置１０は、２種類のディスクドライブを有する。第1のメディアとしてハードディスクＨを駆動するハードディスクドライブ部１９と、第２のメディアとしてビデオファイルを構築できる情報記録媒体であるの光ディスクＤを回転駆動し、情報の読み書きを実行する光ディスクドライブ部１９を有している。又、制御部３０は、全体の動作を司るべくデータバスＢを介して各部に接続されている。しかし、本発明を実施する場合において、光ディスクドライブ部１９は必ずしも必要な構成ではない。
【００１２】
又、図１の放送受信装置１０は、録画側を構成するエンコーダ部２１と、再生側を構成するＭＰＥＧデコーダ部２３と、装置本体の動作を制御する制御部３０とを主たる構成要素としている。放送受信装置１０は、入力側のセレクタ１６と出力側のセレクタ１７とを有しており、入力側のセレクタ１６には、ＬＡＮ等の通信部１１と、いわゆる衛星放送（ＢＳ／ＣＳ）、デジタルチューナ部１２と、いわゆる地上波、デジタル／アナログチューナ部１３とが接続され、エンコーダ部２１に信号を出力する。又、ＢＳ／ＣＳ、デジタルチューナ部１２には衛星アンテナが、地上波、デジタル／アナログチューナ部１３には地上波アンテナが接続されている。又、放送受信装置１０は、エンコーダ部２１と、エンコーダ部２１の出力を受け、データ編集等の所望のデータ処理を行う信号編集部２０、信号編集部２０に接続されるハードディスクドライブ部１８、光ディスクドライブ部１９を有している。更に、放送受信装置１０は、ハードディスクドライブ部１８、光ディスクドライブ部１９からの信号を受けてデコードするＭＰＥＧデコーダ部２３と、エンコーダ部２１、バッファ部２２、ＭＰＥＧデコーダ部２３、多重化部２８、分離部２９、制御部３０、予約設定部・予約録画部・ロック制御部４２、番組表生成部４３を有している。これらの各部は、データバスＢを介して制御部３０に接続されている。更に、セレクタ部１７の出力は、ディスプレイ２６に供給されるか、外部装置との通信を行うインタフェース部２７を介して、外部装置に供給される。
【００１３】
更に、放送受信装置１０は、データバスＢを介して制御部３０に接続され、ユーザの操作やリモコンＲの操作を受ける操作部３２を有している。ここで、リモコンＲは、放送受信装置１０の本体に設けられる操作部３２とほぼ同等の操作を可能とするものであり、ハードディスクドライブ部１８や光ディスクドライブ部１９の記録再生指示や、編集指示、又、チューナの操作、予約録画の設定等、各種設定が可能である。
【００１４】
（基本動作）
・放送コンテンツ再生
このような構成の、デジタルテレビジョンである放送受信装置１０において、ユーザのリモコンＲ又は操作部３２の操作に応じた操作信号に従って、制御部３０等の制御下において、放送信号を受信しＢＳ／ＣＳチューナ１２又は地上波、デジタル／アナログチューナ部１３からの放送コンテンツをディスプレイ２６に表示する。
【００１５】
・記録処理
次に、記録時の動作について、他の実施形態も含めて詳細に説明する。放送受信装置１０の入力側として、ＬＡＮ等の通信部１１は、外部機器と接続して、例えばモデム等を介しインターネット等の通信路を経由して番組情報提供サーバ等と通信を行ったり、放送コンテンツ等をダウンロードしたりする。又、ＢＳ／ＣＳ、デジタルチューナ部１２、地上波、デジタル／アナログチューナ部１３は、アンテナを介して放送信号を選局し復調して映像信号及び音声信号を入力するもので、広範な種類の放送信号に対応する。例えば、地上波アナログ放送、地上波、デジタル放送、ＢＳアナログ放送、ＢＳデジタル放送、ＣＳデジタル放送等に及ぶものであり、これに限るものではない。又、必ずしも一つだけを設けるものではなく、例えば、地上波放送のチューナ部や、ＢＳ／ＣＳチューナ部を２つ又は３つ以上を有し、予約録画の要求に応じて平行して機能させる場合も含んでいる。
【００１６】
又、先の通信部１１は、ＩＥＥＥ１３９４インタフェースであってもよく、ネットワーク上の外部機器から、デジタルコンテンツを受けることが可能である。又、図示しない入力端部から、輝度信号や色差信号、コンポジット等の映像信号、音声信号を受けることも可能である。これらは、制御部３０等で制御されるセレクタ１６により、入力が制御されて、エンコーダ部２１に選択的に供給される。
【００１７】
エンコーダ部２１は、セレクタ１６により入力されたアナログビデオ信号やアナログオーディオ信号を、デジタル化するビデオ用及びオーディオ用のアナログ、デジタルコンバータと、ビデオエンコーダと、オーディオエンコーダとを有する。更に、副映像エンコーダも含む。エンコーダ部２１の出力は、所定のＭＰＥＧ等の圧縮フォーマットに変換され、先の制御部３０に供給される。
【００１８】
又、ＢＳ／ＣＳ、デジタルチューナ１２等は、必ずしも内蔵されている必要はなく、データ入力端子を介して外付けされて、受信した、デジタル信号をセレクタ部１６を介してエンコーダ部２１や制御部３０に供給することも好適である。
【００１９】
ここで図１の装置は、エンコーダ部２１でエンコードされた情報（ビデオ、オーディオ、副映像データなどのパック）及び作成された管理情報を、制御部３０を介してハードディスクドライブ部１８又は光ディスクドライブ部１９に供給し、ハードディスクドライブ部１８、又は、光ディスクＤに記録することができる。又、ハードディスクドライブ部１８や光ディスクＤに記録された情報を、制御部３０、光ディスクドライブ部１９を介して光ディスクＤやハードディスクドライブ部１８に記録することもできる。
【００２０】
信号編集部２０により、ハードディスクドライブ部１８や光ディスクＤに記録されている複数番組のビデオ・オブジェクトを、一部削除したり、異なる番組のオブジェクトをつなげたり、といった編集処理を行うこともできる。
【００２１】
・再生処理等  
次に、主に記録された情報の再生処理について、他の実施形態も含めて詳細に説明する。ＭＰＥＧデコーダ部２３は、デコードされた主映像にデコードされた副映像を適宜合成し、主映像にメニュー、ハイライトボタン、字幕やその他の副映像を重ねて出力するビデオプロセッサを備えている。
【００２２】
ＭＰＥＧデコーダ部２３の出力オーディオ信号は、セレクタ部１７を介して図示しない、デジタルアナログ変換器でアナログ変換されてスピーカに供給されるか、Ｉ／Ｆ部２７を介して外部装置に供給される。セレクタ部１７は、制御部３０からのセレクト信号により制御される。これによりセレクタ部１７は、各チューナ部１２，１３からの、デジタル信号を直接モニタする時、エンコーダ部２１をスルーした信号を直接選択することも可能である。
【００２３】
・予約録画処理
又、通信部１１やチューナ１２，１３から取得した電子番組情報に基づいて、番組表生成部４３によりユーザのリモコンＲ等の操作により特定した番組に応じて、取得した電子番組情報に基づく番組表を画面表示することが可能となる。又、予約された予約録画情報に基づいて、制御部３０及び番組表生成部４３の働きにより、予約時刻になると、ＢＳ／ＣＳ、デジタルチューナ部１２又は地上波、デジタル／アナログチューナ部１３が受信した番組情報が復調された映像音声信号が、エンコーダ２１等のエンコード処理を経て、例えば、ハードディスクドライブ部１８に記録（予約録画）される。
【００２４】
この実施形態の放送受信装置１０は、このように総合的な機能を有しており、複数のソースに対して光ディスクＤ又はハードディスクドライブ部１８による記録・再生処理を行うものである。
【００２５】
＜本発明の一実施形態に係る予約時のロック設定機能＞
次に、本発明の一実施形態に係る録画予約時のロック設定機能について、図４乃至図５のフローチャートを用いて以下に詳細に説明する。
【００２６】
・ロック機能の設定処理
本発明の一実施形態である録画予約処理の際に番組毎にロック設定を行なう処理を、図５のフローチャートを用いて詳細に説明する。本発明の一実施形態である録画予約処理の際の番組毎のロック設定は、予約設定部４２によって生成される図２に示すような録画リストにおいて、ロック設定マークＫにより認識が可能である。そして、この録画予約処理の際の番組毎のロック設定は、図３に示す録画設定画面Ｅにおいて表示される、ロック設定アイコンＫ２の操作によって可能となるものである。
【００２７】
しかし、本発明の一実施形態である予約時のロック設定機能は、ロック制御部４２の働きにより、過去の予約情報を参照して適切なロック設定を行なうものである。
【００２８】
即ち、リモコンＲ等のユーザの操作に応じて、予約設定部４２の働きにより、特定の番組につき録画予約を行なう(ステップＳ１１)。そして、予約設定部４２の働きにより、現在の予約情報又は現在及び過去の予約情報、又は、ハードディスクドライバ部や媒体１８、Ｄ中の記録済みコンテンツ情報の管理情報（メタデータ：番組名、録画曜日、時刻、チャンネル等）から、今回の録画予約の番組タイトル等を検索し、これと同一又は類似のものが含まれているかどうかを判断する(ステップＳ１２)。
【００２９】
そして、現在の予約情報又は現在及び過去の予約情報から今回の番組タイトル等を検出したら、先の予約情報がロック設定を行なわれていたかどうかを判断し、行なわれていたらロック設定を行い、行なわれていなければロック設定を行なわない(ステップＳ１３)。このように、ユーザの判断を含めずに自動的に現在の予約情報又は現在及び過去の予約情報又は、ハードディスクドライバ部や媒体１８、Ｄ中の記録済みコンテンツ情報の管理情報（メタデータ：番組名、録画曜日、時刻、チャンネル等）を参照して、コンテンツ保護の是非を判断するので、コンテンツの保護設定について、容易に適切な設定を行なうことができる。
【００３０】
又、ステップＳ１２において、現在の予約情報又は現在及び過去の予約情報に類似等の録画予約がなければ、デフォルト値によってロック設定を行なうか否かを決定する(ステップＳ１４)。すなわち、デフォルト値がロック設定は原則的に行なわないと設定されていればロック設定は行なわず、原則的に行なうと設定されていれば行なうという処理である。又、このデフォルト値は、マニュアルで変更可能であることはいうまでもない。
【００３１】
又、ここで、図５に示すように、録画予約の再設定画面（図３）を表示して、予約内容を確認させて必要な編集を促すことも好適である(ステップＳ１５)。しかしながら、この録画予約の再設定画面の表示は必ずしも必要ではなく、図４の場合のように、自動的にステップＳ１６に移行することであってもよい。
【００３２】
次に、図４に示すように、このような録画予約処理が行なわれた後、予約時間が来ると（ステップＳ１６）、予約録画部４２の働きにより、ＢＳ／ＣＳチューナ部１２を用いて、予約録画が行なわれる（ステップＳ１７）。この結果、予約情報に示された番組に応じた映像音声信号が、エンコーダ２１等によりエンコード処理されて、ハードディスクドライブ部１８等の記憶領域へと録画される（ステップＳ１８）。
【００３３】
次に、この映像音声ファイルは、予約情報に先のロック設定がなされていれば（ステップＳ１８）、保護すべき映像音声ファイルとして、ロック制御部４２等の働きにより特にユーザの操作を必要とせずにロック設定がなされる（ステップＳ１９）。又、映像音声ファイルに予約情報に先のロック設定がなされていなければ、録画終了時に録画ファイルにロック設定を行なうことはない(ステップＳ２０)。
【００３４】
・削除処理
次に、録画によりハードディスクドライブ部１８等の記憶容量が不足した場合に、重要度の低い映像ファイルを削除する処理について、図６のフローチャートを用いて説明する。
【００３５】
なお、この削除処理は本発明に必須のものではなく、利用することが可能であるけども用いることがなくとも発明を実施することができるものである。
【００３６】
図６のフローチャートにおいて、予約録画部４２による予約録画処理により、又は、リモコンＲ等の操作による通常の録画処理を行なっていくと（ステップＳ２１)、ハードディスクドライブ部１８等の記憶容量は少なくなっていく。そして、録画を続行するためには残量が不足であるとの判断が予約録画部４２、制御部３０等でなされると（ステップＳ２２）、予約録画部４２、制御部３０等の制御により、映像音声ファイルが図３で設定されたロック設定がなされているかどうかが判断される。そして、ロック設定がなされていない映像ファイルの中で、例えば、最も古いファイルを削除する（ステップＳ２３）。これにより、ハードディスクドライブ部１８の記憶容量に余裕を生じることにより、録画続行可能の状態へと移行するものである。これにより、ユーザがロック設定されている番組の映像ファイルは、ハードディスクの記憶容量が不足しており古いファイルであっても削除されることがない。
【００３７】
従って、ユーザは、録画予約処理の際に絶対に保存したい重要な番組の映像ファイルであると考えれば、録画予約処理の際にロック設定を行なうことで、その後、特にユーザの操作を必要とせずに、確実にその番組の映像ファイルを保護して保存することが可能となるものである。
【００３８】
なお、どのような映像ファイルを削除するかの設定は、ユーザが任意に設定することができ、又、どのような映像ファイルが削除されるべきかを任意に選べるように設定することが可能となる。
【００３９】
（放送受信装置への適用）
又、図４及び図５のフローチャートで説明した処理は、上述した放送受信装置１０だけに適用が可能ではなく、例えば、録画機能を有した放送受信装置１０であるハードディスクレコーダ等において、同様に適用が可能である。
【００４０】
以上記載した様々な実施形態により、当業者は本実施形態を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【符号の説明】
【００４１】
１１…通信部、１２…ＢＳ／ＣＳチューナ部、１３…地上波チューナ部、１８…ハードディスクドライブ部、１９…光ディスクドライブ部、２０…データ編集部、２１…エンコーダ部、２２…バッファ部、２３…ＭＰＥＧデコーダ部、２４…音声映像処理部、２７…Ｉ／Ｆ部、２８…多重化部、２９…分離部、３０…制御部、３２…操作部、３３…表示部、Ｒ…リモコン、４１…受像機、４２…予約設定部・予約録画部・ロック制御部、４３…番組表生成部。
【図１】
2010288310.tif 000003
【図２】
2010288310.tif 000004
【図３】
2010288310.tif 000005
【図４】
2010288310.tif 000006
【図５】
2010288310.tif 000007
【図６】
2010288310.tif 000008